(57)【要約】      （修正有）【課題】  腐敗の進行と悪臭の逆流を防ぎ、減容化を可能にして生ゴミを屋外に溜め置く生ゴミ溜置装置を提供する。【解決手段】流し台５とは別個に設けられ、上部に開閉可能な外蓋７が被せられ、下部に着脱可能な中蓋で塞がれた排出孔８が形成されて生ゴミが投入される生ゴミ呑み口１と、生ゴミ呑み口の排出孔に接続されて先端が下がり勾配で屋外に導かれる排出管２と、屋外に設けられ、排出管の先端を受け入れるとともに、上部が開閉可能な桝蓋１１で塞がれ、底部に目皿１３を通して合併槽、下水、水路等に連結される排水パイプ１４が接続された溜桝３と、溜桝の中の排出管の下方に排出管を交わして上方に取出し可能に設けられ、排出管から排出された生ゴミを溜め置く透水性のある受籠４とからなることを特徴とする生ゴミ溜置装置。【選択図】図１
0003122355.tif 000002
【実用新案登録請求の範囲】
【請求項１】
流し台とは別個に設けられ、上部に開閉可能な外蓋が被せられ、下部に着脱可能な中蓋で塞がれた排出孔が形成されて生ゴミが投入される生ゴミ呑み口と、生ゴミ呑み口の排出孔に接続されて先端が下がり勾配で屋外に導かれる排出管と、屋外に設けられ、排出管の先端を受け入れるとともに、上部が開閉可能な桝蓋で塞がれ、底部に目皿を通して合併槽、下水、水路等に連結される排水パイプが接続された溜桝と、溜桝の中の排出管の下方に排出管を交わして上方に取出し可能に設けられ、排出管から排出された生ゴミを溜め置く透水性のある受籠とからなることを特徴とする生ゴミ溜置装置。
【請求項２】
生ゴミ呑み口がステンレス製であって排出孔に向かって漸低する漏斗状に形成される請求項１の生ゴミ溜置装置。
【考案の詳細な説明】
【技術分野】
【０００１】
本考案は、生ゴミを屋外で溜め置く生ゴミ溜置装置に関するものである。
【背景技術】
【０００２】
食事の支度や後片付け等で出る生ゴミは、流し台等に備えた小袋に移し、ある程度溜まると、主に屋外に置いた容器に移し替て溜め置き、所定のゴミ出し日にゴミ袋等に詰めてゴミ収集場に運んでいる。したがって、小袋には常に生ゴミが溜まっていて見た目が悪いし、衛生的ではない。また、夏場では悪臭も発生する。このため、再々屋外の容器まで運び出すことになるが、これが面倒なことは周知のとおりである。さらに、雨天等では屋外に出るのは億劫である。
【０００３】
そこで、台所で出る生ゴミを屋外の容器に自動的に移し替る案件が例えば下記特許文献１に提案されている。ところが、この案件のものは、屋外容器に生ゴミを排出する排出管が流し口に直結されているため、蛇口を捻るたびに水は屋外容器に供給される。したがって、屋外容器に溜められた生ゴミは常に水分で湿った状態におかれ、腐敗の進行が早いともに、容積も減容しない。また、排出管の先端に悪臭の逆流を防ぐ防臭弁が取り付けられているが、この弁が作動不良になることもあるし、さらに、この弁では、排出管に付着した生ゴミに起因する悪臭を防ぐことはできない。
【特許文献１】特願昭６０−８２５０３号公報
【考案の開示】
【考案が解決しようとする課題】
【０００４】
本考案は、このような課題を解決したものであり、生ゴミ投入の生ゴミ呑み口を流し口とは別個に設けるとともに、悪臭の屋内流入を確実に防ぐ生ゴミ溜置装置を提供するものである。
【課題を解決するための手段】
【０００５】
以上の課題の下、本考案は、請求項１に記載した、流し台とは別個に設けられ、上部に開閉可能な外蓋が被せられ、下部に着脱可能な中蓋で塞がれた排出孔が形成されて生ゴミが投入される生ゴミ呑み口と、生ゴミ呑み口の排出孔に接続されて先端が下がり勾配で屋外に導かれる排出管と、屋外に設けられ、排出管の先端を受け入れるとともに、上部が開閉可能な桝蓋で塞がれ、底部に目皿を通して合併槽、下水、水路等に連結される排水パイプが接続された溜桝と、溜桝の中の排出管の下方に排出管を交わして上方に取出し可能に設けられ、排出管から排出された生ゴミを溜め置く透水性のある受籠とからなることを特徴とする生ゴミ溜置装置を提供するとともに、これにおいて、請求項２に記載した、生ゴミ呑み口がステンレス製であって排出孔に向かって漸低する漏斗状に形成される手段を提供したものである。
【考案の効果】
【０００６】
本考案の生ゴミ溜置装置によると、生ゴミ呑み口は流し台とは別個に設けたものであるから、水道を使うたびに水分は受籠に供給されず、溜め置いた生ゴミは一定の乾燥状態に保たれる。このため、腐敗が特別に進行することもないし、減容化も可能である。また、排出孔に中蓋が被されるものであるから、排出管を含む下流側からの悪臭を遮断する。
【考案を実施するための最良の形態】
【０００７】
以下、本考案の実施の形態を図面を参照して説明する。図１は本考案に係る生ゴミ溜置装置の説明図、図２は生ゴミ呑み口と排出管の接続部分の説明図、図３は溜桝と受籠の関係を示す説明図であるが、この生ゴミ溜置装置は、生ゴミを投入する生ゴミ呑み口（以下、呑み口という）１と、呑み口１に投入された生ゴミを屋外に排出する排出管２と、屋外に設けられて排出管２の先端を受け入れる溜桝３と、溜桝３内に設置されて排出管２から排出された生ゴミを収受する受籠４等からなる。
【０００８】
呑み口１は、流し台５等の隣に形成されたボックス６の中に設けられるものであり、ステンレス製で漏斗状をしたものである。呑み口１の上部は開口しており、ここを開閉可能な外蓋７で塞いでいる。呑み口１の下部の最低部には排出孔８が形成されており、ここから下方に排出管２が接続されている。そして、排出孔８は、着脱可能な中蓋９で栓をされている。この中蓋９は、排出孔８をきっちりと蓋をするものであり、蓋をした場合には、排出管２を含むその下流側からの臭気は完全に遮断されるようになっている。
【０００９】
排出管２は、ある程度太い径を有する樹脂や金属製のパイプであり、基端が排出孔８に接続され、先端はある程度の下り勾配で壁１０を貫通して屋外まで導出しているものである。溜桝３は、同じく樹脂や金属製のタンクであり、その途中に排出管２を受け入れて屋外にその底部が地面に埋められた状態で（排出管２の下り勾配を確保するため）設置される。溜桝３の上部は、開閉可能な桝蓋１１で覆われており、底部には、排水口１２が形成されている。なお、溜桝３の底壁は、この排水口１２に向かって漸低しているのが好ましい。
【００１０】
排水口１２には、水分のみを通過させる目皿１３が設けられており、この目皿１３に連続して排水パイプ１４が接続されている。排水パイプ１４は、溜桝３の底部が地面下に設置される関係から土中に埋まっており、その先端は、合併槽、下水或いは水路（以下、合併槽等という）まで延ばされている。受籠４は、同じく樹脂や金属製の上部が開口した網状タンクであり、溜桝３内の排出管２の先端下方に収容されている。なお、受籠４の網目は、水分のみを通して生ゴミである固形物を通さない程度のものにしてある。
【００１１】
以上が生ゴミ溜置装置であるが、この生ゴミ溜置装置の使用方法について説明すると、台所で出た生ゴミは、その都度、呑み口１に投入する。このとき、外蓋７を開放するのはもちろんのこと、中蓋９も外す必要がある。呑み口１に投入された生ゴミは、排出管２を通って溜桝３内の受籠４に流入するが、このとき、固形物は受籠４内に留め置かれ、水分は、目皿１３から排水パイプ１４を通って合併槽等に排出される。
【００１２】
呑み口１への生ゴミの投入が終了すると、中蓋９をして外蓋７も閉めておく。これにより、受籠４内で発生した悪臭は、中蓋９で完全に遮断され、屋内に逆流して来ない。このようにして食事の支度や後片付けで発生した生ゴミは、逐次、受籠４内に溜まって来るが、呑み口１は流し口に連結されていないから、仮に、流し口に水を流したとしても、この間、水分は供給されない。したがって、生ゴミの湿潤化が抑制され、腐敗や臭気が発生し難い。
【００１３】
そして、ゴミ出し日が来ると、受籠４を溜桝３から取り出して（受籠４の上部に収納式の提手リング１５等を設けておけば便利である）中の生ゴミを別のゴミ袋等に詰め替え、ゴミ収集場に運ぶ。このとき、溜桝３の容積を受籠４の容積に対して十分大きなものにしておき、受籠４を排出管２の反対側に寄せると、上方に楽に抜き出せるようにしておく。このときの詰め替えに際しても、生ゴミはある程度乾燥されて腐敗が抑制されているのであるから、視感を悪くしたり、悪臭を嗅いだりすることもないし、容積も減容されて重量も軽減されている。
【図面の簡単な説明】
【００１４】
【図１】生ゴミ溜置装置の説明図である。
【図２】生ゴミ呑み口と排出管の接続状態を示す説明図である。
【図３】溜桝と受籠の関係を示す説明図である。
【符号の説明】
【００１５】
１      生ゴミ呑み口
２      排出管
３      溜桝
４      受籠
５      流し台
６      ボックス
７      外蓋
８      排出孔
９      中蓋
１０    壁
１１    桝蓋
１２    排水口
１３    目皿
１４    排水パイプ
１５    提手リング
【図１】
0003122355.tif 000003
【図２】
0003122355.tif 000004
【図３】
0003122355.tif 000005